(57)【特許請求の範囲】
【請求項１】
建物開口部に設けられる枠体に対し、框体内にパネル体を納めてなる障子を嵌め殺し状に納めた窓において、
前記枠体と框体は固定金具により連結固定され、該固定金具は前記框体の外周面に当接し固定される框固定部と、該框固定部の室内端から前記框体の室内面に沿って延びる当接部と、該当接部の端部から室内側に向かって延び前記枠体に対して固定される枠固定部とを有し、
前記枠体には前記框体と対向する位置に気密材が設けられ、該気密材よりも見付方向内側に前記固定金具の枠固定部を挿通させる開口部が形成され、前記固定金具の枠固定部は前記開口部よりも室内側において前記枠体に対して見付方向内側から固着具により固定されることを特徴とする窓。
【請求項２】
前記枠体の前記框体と対向する位置には受け金具が設けられ、前記固定金具は前記受け金具に係止されて仮固定をなす係止部を有することを特徴とする請求項１記載の窓。
【請求項３】
前記枠体は前記框体より室内側の内周面に凹部を有し、該凹部の底面から固着具により前記固定金具の枠固定部を固定すると共に、前記凹部はカバー材により塞がれてなることを特徴とする請求項１または２記載の窓。
【請求項４】
前記框体の室内面には前記気密材に当接する当接片が突出状に形成され、該当接片は前記固定金具の当接部が配置される部分が切り欠かれ、前記固定金具を前記框体に取付けた状態で前記当接部の室内側面が前記当接片の前記気密材に当接する当接面と略面一状となることを特徴とする請求項１〜３のいずれか１項に記載の窓。
【請求項５】
前記固定金具は前記枠体を構成する縦枠と前記框体を構成する縦框を連結固定し、
前記枠体の室内側には額縁材が配置され、該額縁材の内周面と前記縦枠の前記縦框より室内側の内周面及び前記縦框の内周端とが略面一状に配置されることを特徴とする請求項１〜４のいずれか１項に記載の窓。
【発明の詳細な説明】
【技術分野】
【０００１】
本発明は建物開口部に設けられる枠体内に障子を嵌め殺し状に納めてなる窓に関し、特に固定金具により枠体と障子を連結固定するようにした窓に関する。
【背景技術】
【０００２】
従来、建物開口部に枠体を設け、その枠体内に障子を嵌め殺し状に納めてなる嵌め殺し窓が知られている。嵌め殺し窓において枠体と障子は固定金具によって連結固定される。固定金具は、障子を構成する框体の外周面に対して固着される框固定部と、枠体に対して固着される枠固定部とを有している。固定金具の枠体に対する固着は、枠固定部の室内側端部において、枠体の室内側から見込方向に向かって固着具を挿通してなされる。このような窓としては、例えば特許文献１に挙げるようなものがある。
【特許文献１】特開２００７−３２２１０号公報
【発明の開示】
【発明が解決しようとする課題】
【０００３】
しかし、従来の窓においては固定金具が、縦框に取付けられる框固定部と、框固定部と平行な突片と、突片の端部が折り曲げられた枠固定部とからなる比較的単純な形状からなり、固定金具による連結強度が必ずしも充分とは言えなかったため、障子と枠体との間にバール等が差し込まれた場合にこじ開けられてしまう可能性があった。
【０００４】
本発明は、前記課題を解決すべくなされたものであり、固定金具による枠体と障子の連結強度を高くして防犯性を向上させた窓を提供することを目的とする。
【課題を解決するための手段】
【０００５】
前記課題を解決するため、本発明に係る窓は、建物開口部に設けられる枠体に対し、框体内にパネル体を納めてなる障子を嵌め殺し状に納めた窓において、
前記枠体と框体は固定金具により連結固定され、該固定金具は前記框体の外周面に当接し固定される框固定部と、該框固定部の室内端から前記框体の室内面に沿って延びる当接部と、該当接部の端部から室内側に向かって延び前記枠体に対して固定される枠固定部とを有し、
前記枠体には前記框体と対向する位置に気密材が設けられ、該気密材よりも見付方向内側に前記固定金具の枠固定部を挿通させる開口部が形成され、前記固定金具の枠固定部は前記開口部よりも室内側において前記枠体に対して見付方向内側から固着具により固定されることを特徴として構成されている。
【０００６】
また、本発明に係る窓は、前記枠体の前記框体と対向する位置には受け金具が設けられ、前記固定金具は前記受け金具に係止されて仮固定をなす係止部を有することを特徴として構成されている。
【０００７】
さらに、本発明に係る窓は、前記枠体は前記框体より室内側の内周面に凹部を有し、該凹部の底面から固着具により前記固定金具の枠固定部を固定すると共に、前記凹部はカバー材により塞がれてなることを特徴として構成されている。
【０００８】
さらにまた、本発明に係る窓は、前記框体の室内面には前記気密材に当接する当接片が突出状に形成され、該当接片は前記固定金具の当接部が配置される部分が切り欠かれ、前記固定金具を前記框体に取付けた状態で前記当接部の室内側面が前記当接片の前記気密材に当接する当接面と略面一状となることを特徴として構成されている。
【０００９】
そして、本発明に係る窓は、前記固定金具は前記枠体を構成する縦枠と前記框体を構成する縦框を連結固定し、
前記枠体の室内側には額縁材が配置され、該額縁材の内周面と前記縦枠の前記縦框より室内側の内周面及び前記縦框の内周端とが略面一状に配置されることを特徴として構成されている。
【発明の効果】
【００１０】
本発明に係る窓によれば、枠体と框体を固定する固定金具は、框体の外周面に当接し固定される框固定部と、框固定部の室内端から框体の室内面に沿って延びる当接部と、当接部の端部から室内側に向かって延び枠体に対して固定される枠固定部とを有し、枠体には框体と対向する位置に気密材が設けられ、気密材よりも見付方向内側に固定金具の枠固定部を挿通させる開口部が形成され、固定金具の枠固定部は開口部よりも室内側において枠体に対して見付方向内側から固着具により固定されることにより、固定金具が框体の外周面と室内面に当接し、さらに室内側に延びた枠体固定部を有するので、枠体と框体の間にバール等が差し込まれた場合における固定金具による連結強度を高くすることができ、防犯性を向上させることができる。
【００１１】
また、本発明に係る窓によれば、枠体の框体と対向する位置には受け金具が設けられ、固定金具は受け金具に係止されて仮固定をなす係止部を有することにより、框体を窓枠に取付ける際に、仮固定を行うことができるので、施工時における作業性を向上させることができる。
【００１２】
さらに、本発明に係る窓によれば、枠体は框体より室内側の内周面に凹部を有し、凹部の底面から固着具により固定金具の枠固定部を固定すると共に、凹部はカバー材により塞がれてなることにより、固定金具を枠体の内周面側から容易に固定でき、また固定部分をカバー材で覆うので意匠性を向上させることができる。
【００１３】
さらにまた、本発明に係る窓によれば、框体の室内面には気密材に当接する当接片が突出状に形成され、当接片は固定金具の当接部が配置される部分が切り欠かれ、固定金具を框体に取付けた状態で当接部の室内側面が当接片の気密材に当接する当接面と略面一状となることにより、気密材に対して当接する面に段差を生じないので、気密材と当接面との間に隙間を生じることによる気密性の低下を防ぐことができる。
【００１４】
そして、本発明に係る窓によれば、枠体の室内側には額縁材が配置され、額縁材の内周面と縦枠の縦框より室内側の内周面及び縦框の内周端とが略面一状に配置されることにより、室内側から見て框体が枠体に隠れるようにした嵌め殺し窓において、固定金具を枠体の内周面側から固定することができるので、框体の枠体に対する取付作業を容易にすることができる。
【発明を実施するための最良の形態】
【００１５】
本発明の実施形態について図面に沿って詳細に説明する。図１には本実施形態における窓の縦断面図を、図２には本実施形態における窓の横断面図を、それぞれ示している。これら各図に示すように、本実施形態の窓は、建物開口部に取付けられた枠体１内に、框体３内に複層ガラスからなるパネル体４を納めてなる障子２を嵌め殺し状に納めて構成されている。
【００１６】
枠体１は、上枠１０と下枠１１及び左右の縦枠１２、１２を方形状に枠組みして構成されている。枠体１を構成する枠材には、いずれも金属材の室内側に樹脂材を配設した複合材が用いられており、上枠１０は金属上枠１０ａと樹脂上枠１０ｂにより、下枠１１は金属下枠１１ａと樹脂下枠１１ｂにより、縦枠１２は金属縦枠１２ａと樹脂縦枠１２ｂにより、それぞれ構成されている。
【００１７】
障子２を構成する框体３は、上框２０と下框２１及び左右の縦框２２、２２を方形状に框組みして構成されている。框体３を構成する各框材には、内周面にパネル体収納溝２３が形成されており、このパネル体収納溝２３にパネル体４の縁部が納められると共に、グレチャン２４を介して固定される。
【００１８】
枠体１の室内側には額縁材５が設けられる。枠体１の室内端部には、四周に渡ってアングル部１９が形成されており、アングル部１９は額縁材５の内周面に当接しネジ止め固定されている。図１に示すように、枠体１を構成する上枠１０及び下枠１１は、框体３よりも室内側の内周面が、アングル部１９よりも見付方向内側となるように段差状に形成され、框体３を構成する上框２０及び下框２１の内周側端部と略同じ見付方向位置となるように形成されている。
【００１９】
また、図２に示すように、枠体１を構成する縦枠１２は、框体３よりも室内側の内周面が、アングル部１９と面一状となるように形成されると共に、框体３を構成する縦框２２の内周側端部と略同じ見付方向位置となるように形成されている。すなわち、縦枠１２及び縦框２２においては、額縁材５の内周面と縦枠１２の内周面及び縦框２２の内周端とが略面一状に配置される。このように、本実施形態の窓は枠体１の内周面が框体３の内周端と略同じ見付方向位置となるようにされているので、框体３が室内側から直接見えないようにして意匠性の向上を図っている。
【００２０】
図２に示すように、枠体１を構成する縦枠１２は、金属縦枠１２ａの内周面に見付方向内側に向かって突出する内側突出片１３が形成されている。この内側突出片１３は、縦框２２の室内側面と対向した部分に室内気密材１５が設けられる。室内気密材１５は、縦框２２の室内側面に室内側に向かって突出状に形成される当接片２５に対して当接し、気密性の確保を図っている。なお、当接片２５は先端部に室内気密材１５が当接可能な当接面２５ａを有している。また、縦枠１２の内側突出片１３よりも室外側には、縦框２２の室外側面に対して当接する室外気密材１４が設けられる。
【００２１】
次に、枠体１と框体３の連結構造について詳細に説明する。図３には、図２の縦枠１２及び縦框２２付近の拡大図を示している。この図に示すように、枠体１と框体３は、縦枠１２と縦框２２の間に設けられる固定金具３０によって連結固定される。固定金具３０は、板状の金属材を折り曲げ加工してなるものであり、縦框２２に対して固定される框固定部３２と縦枠１２に対して固定される枠固定部３４とを有している。
【００２２】
框固定部３２は、固定金具３０の室外側端部側に形成されており、縦框２２の外周面に当接する平板状に形成されると共に、固着具であるネジによって固定されている。框固定部３２には、室外端部から見付方向外側に向かって断面略Ｌ字状に突出した係止部３５が形成される。係止部３５は縦枠１２の内周面に取付けられる受け金具３１に対して係止される。その構造については後述する。
【００２３】
固定金具３０には、框固定部３２の室内端部から見付方向内側に向かって延びるように当接部３３が形成されている。当接部３３は、縦框２２の室内側面に当接する平板状に形成されている。縦枠１２の室内気密材１５に当接する縦框２２の当接片２５は、固定金具３０の当接部３３が配置される部分については、先端部が切り欠かれる。これによって、固定金具３０の当接部３３は、室内面が当接片２５のそれ以外の部分における当接面２５ａと略面一状となる。縦枠１２の室内気密材１５は、固定金具３０が配置される部分については当接部３３に当接するが、これが当接片２５の当接面２５ａと略面一状であるため、この部分が段差状となる場合に比べて当接面と気密材との間に隙間が生じることがなく、気密性を向上させることができる。
【００２４】
固定金具３０の当接部３３の見付方向内側端部からは、室内側に向かって延びる枠固定部３４が形成されている。縦枠１２の内側突出片１３には、室内気密材１５が設けられた位置よりも見付方向内側に開口部１６が形成されており、枠固定部３４は縦枠１２の開口部１６に挿通されてそれよりも室内側に向かって延び、樹脂縦枠１２ｂの内周面側から固定される。
【００２５】
縦枠１２を構成する樹脂縦枠１２ｂには、内周面部に凹部１７が形成されており、凹部１７の底面部分と固定金具３０の枠固定部３４とが近接対向している。そして、凹部１７の底面部分から固着具であるネジ３８が挿通され、固定金具３０の枠固定部３４を固定している。凹部１７の開口部分にはカバー材１８が係合固定されており、ネジが露出しないようにすると共に、樹脂縦枠１２ｂのその他の部分における内周面と面一状となるようにして意匠性の向上を図っている。
【００２６】
枠体１と框体３の間の隙間に室外側からバール等を差し込んで障子２をこじ開けようとした場合、固定金具３０には室内側から室外側に向かう力がかかることとなるが、固定金具３０は縦框２２の室内側面に当接する当接部３３を有し、その見付方向内側端部から室内側に向かって枠固定部３４が設けられる構成となっているため、当接部３３から縦框２２の室内側面に対して力がかかって枠固定部３４には大きな力が伝わりにくく、こじ開けることは困難となる。そのため、この場合における固定金具３０による連結強度を高くして防犯性の高い窓とすることができる。
【００２７】
また、固定金具３０の枠固定部３４は、縦枠１２の開口部１６を介して室内側に向かって延び、縦枠１２の内周面と対向して樹脂縦枠１２ｂの内周面側からネジ止め固定されるようにしたので、額縁材５と縦枠１２の内周面及び縦框２２の内周端が略同一面内に配置されるようにした窓において、固定金具３０を額縁材５によって室内側からは隠れた状態となる縦枠１２の室内面からではなく、室内側に露出する内周面側から固定することができるので、取付作業を容易に行うことができる。
【００２８】
金属縦枠１２ａの内側突出片１３よりも室外側の内周面には、受け金具３１がネジ止め固定される。受け金具３１は、断面略Ｌ字状に形成され、一方の面が金属縦枠１２ａの内周面に当接してネジ止めされる固定部３６であり、固定部３６と直交する見付方向内側に向かって延びる面に固定金具３０の係止部３５が係止される被係止部３７が形成される。
【００２９】
図４には受け金具３１と縦框２２に取付けられた固定金具３０との固定前における斜視図を、図５には受け金具３１と固定金具３０の固定後における斜視図を、それぞれ示している。なおこれら各図では受け金具３１が取付けられる縦枠１２は省略している。図４に示すように、受け金具３１の被係止部３７は、固定部３６と直交する面を切り欠いて形成されている。なお、被係止部３７は受け金具３１に上下２箇所形成されているが、これは受け金具３１を左右の縦枠１２のいずれにおいても用いることができるようにするためである。
【００３０】
固定金具３０の係止部３５は、框固定部３２の面と平行な面の上下端部を凹状に切り欠いて形成されている。なお、係止部３５が固定金具３０に上下２箇所形成されているのは、固定金具３０を左右いずれにも用いることができるようにするためである。
【００３１】
障子２を枠体１に取付けるにあたっては、予め図４に示すように固定金具３０の框固定部３２を框体３の縦框２２に固定しておき、障子２を室外側から枠体１の所定位置に取付ける。この際、図５に示すように、固定金具３０の係止部３５を受け金具３１の被係止部３７に対して引っ掛けるようにすることで、固定金具３０は受け金具３１に対して係止され、仮止めされた状態となる。この仮止めされた状態で樹脂縦枠１２ｂの内周面側から固定金具３０の枠固定部３４に対してネジ止めを行うことで、枠体１と障子２を容易に連結固定することができる。
【００３２】
なお、前述のように、縦框２２の当接片２５について、固定金具３０の当接部３３が配置される部分の先端部が切り欠かれ、固定金具３０の当接部３３は、室内面が当接片２５のそれ以外の部分における当接面２５ａと略面一状とされることについて、図４及び図５に示されている。
【００３３】
以上、本発明の実施形態について説明したが、本発明の適用はこれら実施形態には限られず、その技術的思想の範囲内において様々に適用されうるものである。
【図面の簡単な説明】
【００３４】
【図１】本実施形態における窓の縦断面図である。
【図２】窓の横断面図である。
【図３】図２の縦枠及び縦框付近の拡大図である。
【図４】受け金具と縦框に取付けられた固定金具との固定前における斜視図である。
【図５】受け金具と固定金具の固定後における斜視図である。
【符号の説明】
【００３５】
１    枠体
２    障子
３    框体
４    パネル体
５    額縁材
１０    上枠
１１    下枠
１２    縦枠
１３    内側突出片
１４    室外気密材
１５    室内気密材
１６    開口部
１７    凹部
１８    カバー材
２５    当接片
３０    固定金具
３１    受け金具
３２    框固定部
３３    当接部
３４    枠固定部
３５    係止部
３６    固定部
３７    被係止部
【図１】
0005112947.tif 000002
【図２】
0005112947.tif 000003
【図３】
0005112947.tif 000004
【図４】
0005112947.tif 000005
【図５】
0005112947.tif 000006